(57)【要約】【課題】  締付作業が容易で且つ弛みの生じない確実な締付が可能な締付バンドを備えた管継手を提供する。【解決手段】  継手本体１の筒状接続部１１に接続すべき管体２を嵌合し、その外周に締付バンド６を取り付け、ネジ６７をワッシャ６６から各ネジ受片６３のネジ挿通孔６２を貫通してナット６５に螺合させ、所定の締付トルクまでネジ６７を回動して締付バンド６を締め付けた時に、ネジ受片６３の逆カマボコ形凹状受部６４に嵌合配置されたカマボコ形のワッシャ６６並びにナット６５が円弧面に沿って摺動変位することができるようにし、これにより、ワッシャ６６並びにナット６５の座面、即ち凸面の円弧面６６ａ、６５ａがネジ受片６４の凹面の円弧面６４ａに対して常に面接し、且つネジ頭部の下部座面とワッシャ上面も平行な姿勢で面接して、ネジ締付に必要な大きな座面圧が得られて、弛みの生じない確実な締付状態を維持することができる構造とした。【選択図】図１
2007247855.tif 000002
【特許請求の範囲】
【請求項１】
接続すべき管体の端部を継手本体の筒状接続部に外嵌して接続部分の外周面から締付バンドで締結する管継手であって、
前記締付バンドは、縮径変形可能な側面視略Ｃ形のクランプ部と、該クランプ部のＣ形の各端部から互いに相対向する姿勢で径方向外方に延出された一対のネジ受片と、該一対のネジ受片同士を締結するためのネジ、ナット及びワッシャとを備え、各ネジ受片は、前記ネジが挿通されるネジ挿通孔を備え、各ネジ受片の外面にはネジ挿通孔の開口縁部に凹状受部が形成され、前記ナットは、一方のネジ受片の凹状受部に嵌合配置され、前記ワッシャは、他方のネジ受片の凹状受部に嵌合配置され、前記ネジは、ワッシャから各ネジ受片のネジ挿通孔を貫通してナットに螺合され、前記凹状受部は、クランプ部の軸心に対して略平行な軸心を有する凹状円弧面を備え、前記ワッシャ並びにナットは前記凹状円弧面に合致する凸状円弧面を備え、これにより凹状受部に嵌合配置されたワッシャ並びにナットが円弧面に沿った方向に摺動しながら回動変位できるように形成されている管継手。
【請求項２】
前記凹状受部は、さらに、前記凹状円弧面の両側縁部に形成された規制壁部を備え、該壁部によりワッシャ並びにナットの回動方向を円弧面に沿った方向のみに規制することを特徴とする請求項１に記載の管継手。
【請求項３】
前記継手本体の筒状接続部に嵌合された管体と締付バンドとの間に径方向に拡縮変形可能な筒状のスリーブが介在されている請求項１又は２に記載の管継手。
【請求項４】
前記スリーブが、軸心方向に沿ったスリットにより円周の一部が分断され、スリーブ内周面に軸心方向に一定の間隔をあけてリング状の内側突起が複数形成され、該内側突起の反対側でスリーブ外周面にリング状の外側突起が形成されている請求項３に記載の管継手。
【請求項５】
前記継手本体の筒状接続部外周面にリング状のパッキンを装着するためのリング状のパッキン装着溝が設けられ、このパッキン装着溝から筒状接続部の開口端に通じる漏出溝が設けられている請求項１〜４の何れかに記載の管継手。
【請求項６】
接続すべき管体の端部を継手本体の筒状接続部に外嵌して接続部分の外周面から締付バンドで締結する管継手であって、前記継手本体の筒状接続部外周面にリング状のパッキンを装着するためのリング状のパッキン装着溝が設けられ、このパッキン装着溝から筒状接続部の開口端に通じる漏出溝が設けられている管継手。
【発明の詳細な説明】
【技術分野】
【０００１】
本発明は給湯器の送水用管体等に使用される管継手に関するものである。
【背景技術】
【０００２】
従来、接続すべき管体の端部を継手本体の筒状接続部、若しくは他方の管体の端部に挿嵌してその接続部分の外周面から締付バンドで締結する管継手構造として、例えば特許文献１、特許文献２、特許文献３並びに特許文献４に示すものがある。
【０００３】
上記各特許文献で開示されたような一般的な締付バンドは、図７に示すように側面視略Ｃ形のクランプ部７と、クランプ部の各開口端縁部から互いに相対する姿勢で外方向に延出され且つネジ８をルーズに挿通させるためのネジ挿通孔７１を備えた一対のネジ受片７２とから構成されており、ネジ８をワッシャ９を介して各ネジ受片のネジ挿通孔７１に貫通し、その露出端をナット１０に螺合して所定の締付トルクで締結している。
【特許文献１】実開平０４−６８２８６号公報
【特許文献２】特開平０８−１７８１４５号公報
【特許文献２】特開２００１−３２９７５号公報
【特許文献２】特開２００３−２０７０８２号公報
【発明の開示】
【発明が解決しようとする課題】
【０００４】
この締結時において、所定の締付トルクに達する前に相対するネジ受片７２が面接すると、それ以上の締付ができなくなるので、締め付け完了時に、相対するネジ受片７２の間に若干の追締め可能な隙間Ｌが形成されるように予め設定されている。しかしその為に次のような問題点を包含する。即ち、ネジの締付加減によって、或いは接続される管体の外径寸法の製作誤差によって、ネジの最終締結時に相対するネジ受片７２が正しく並行にならないで、図７の（ロ）並びに（ハ）に示すように、互いに少し傾斜した姿勢で締結されることが多い。このような場合、ワッシャ座面並びにナット座面がネジ受片７２の面に対して傾斜した姿勢で接触するので、ネジ締付に必要な大きな座面圧が得られない。従って使用中にネジとナットとの間に弛みが発生して締付バンドによる締付力が低下し、水漏れが発生する等の問題点があった。
【０００５】
また、締付バンドの開脚姿勢において、ネジ先端をナット１０に螺合する際に、ナット１０がネジ受片７２上で安定しないので、指先でナット１０を保持しながら、ネジ先端をナットねじ穴に螺合しなければならず、その作業が大変煩わしく面倒である、といった問題点もあった。
【０００６】
そこで本発明の主たる目的は、上記したような従来課題を克服した締付バンドを有する管継手を提供することにある。
【０００７】
また従来では、接続すべき管体の端部を継手本体の筒状接続部に外嵌して接続部分の外周面から締付バンドで締結する管継手において、筒状接続部の外周面に設けたリング状のパッキン装着溝にＯリング等のパッキンを嵌め込んで筒状接続部と管体との間のシールを確保している。ところが、接続すべき管体を筒状接続部に外嵌する際に、不注意によりパッキンのある箇所まで到達しない状態で取り付ける場合がある。このような場合は締付バンドによる締付により一時的には水漏れが生じなくても、パッキンが全く作用していないので使用中に水漏れが発生することになる。
【０００８】
そこで本発明は、接続すべき管体を継手本体の筒状接続部に外嵌する際に、誤ってパッキンのある箇所まで到達しない状態で取り付けた場合に、水漏れ検査でその状態を確実に認知することのできる機能を備えた新規な管継手を提供することを次なる目的とするものである。
【課題を解決するための手段】
【０００９】
上記の課題を解決するために本発明では次のような技術的手段を講じた。即ち、本発明にかかる管継手にあっては、接続すべき管体の端部を継手本体の筒状接続部に外嵌して接続部分の外周面から締付バンドで締結する管継手であって、
前記締付バンドは、縮径変形可能な側面視略Ｃ形のクランプ部と、該クランプ部のＣ形の各端部から互いに相対向する姿勢で径方向外方に延出された一対のネジ受片と、該一対のネジ受片同士を締結するためのネジ、ナット及びワッシャとを備え、各ネジ受片は、前記ネジが挿通されるネジ挿通孔を備え、各ネジ受片の外面にはネジ挿通孔の開口縁部に凹状受部が形成され、前記ナットは、一方のネジ受片の凹状受部に嵌合配置され、前記ワッシャは、他方のネジ受片の凹状受部に嵌合配置され、前記ネジは、ワッシャから各ネジ受片のネジ挿通孔を貫通してナットに螺合され、前記凹状受部は、クランプ部の軸心に対して略平行な軸心を有する凹状円弧面を備え、前記ワッシャ並びにナットは前記凹状円弧面に合致する凸状円弧面を備え、これにより凹状受部に嵌合配置されたワッシャ並びにナットが円弧面に沿った方向に摺動しながら回動変位できるように形成されている構造としたものである。
【００１０】
前記凹状受部は、さらに、前記凹状円弧面の両側縁部に形成された規制壁部を備え、該壁部によりワッシャ並びにナットの回動方向を円弧面に沿った方向のみに規制するのが良い。また、前記継手本体の筒状接続部に嵌合された管体と締付バンドとの間に径方向に拡縮変形可能な筒状のスリーブが介在されているのが好ましい。この場合、前記スリーブが、軸心方向に沿ったスリットにより円周の一部が分断され、スリーブ内周面に軸心方向に一定の間隔をあけてリング状の内側突起が複数形成され、該内側突起の反対側でスリーブ外周面にリング状の外側突起が形成されている構造とするのがよい。これにより、締付バンドによる外部からの締付力を内側突起部分に集中的に負荷させることができ、より大きな締付力を得ることができる。
【００１１】
また本発明では、前記継手本体の筒状接続部外周面にリング状のパッキンを装着するためのリング状のパッキン装着溝が設けられ、このパッキン装着溝から筒状接続部の開口端に通じる漏出溝が設けられている構造とするのが好ましい。この場合、締付バンドは、継手本体の筒状接続部と管体との接続部分を外周から締め付けるものであればどのような構造のものであってもよい。
【発明の効果】
【００１２】
本発明によれば、ネジの最終締結時に相対するネジ受片が正しく並行にならないで互いに少し傾斜した姿勢で締結された場合でも、ネジ受片の逆カマボコ形凹状受部に嵌合配置されたカマボコ形のワッシャ並びにナットが円弧面に沿って摺動変位することができるので、ワッシャ並びにナットの座面、即ち凸状の円弧面がネジ受片の受け面、即ち凹状の円弧面に対して常に面接し、且つネジ頭部の下部座面とワッシャ上面とも平行な姿勢で面接するので、ネジ締付を維持するために必要な座面圧が得られて、弛みの生じない確実な締付状態を維持することができる。加えて、ナットの一部がネジ受け部材の凹状受部に嵌り込む構造となっているので、ネジの先端をナットに螺合する際に指先で軽くナットを支えるだけで安定よく凹状受部内にナットを保持することができ、これにより、容易にネジをナットに螺合することができて作業の容易化を図ることができる、といった効果がある。
【００１３】
また本発明では、継手本体の筒状接続部外周面にリング状のパッキンを装着するためのリング状のパッキン装着溝を設け、このパッキン装着溝から筒状接続部の開口端に通じる漏出溝を設けた構造とすることにより、接続すべき管体を継手本体の筒状接続部に外嵌する際に、誤ってパッキンのある箇所まで管体を挿入しないで取り付けた場合に、水漏れ検査の際に、管体内部を流れる水が漏出溝からパッキン装着溝を伝って外部に漏出し、確実に水漏れを認知することのできるといった効果がある。
【発明を実施するための最良の形態】
【００１４】
以下、本発明にかかる管継手の詳細を図１〜図４で示した実施例に基づき詳述する。図において符号１は金属製の継手本体であって、接続すべき管体２の開口端内に嵌入する筒状接続部１１を一端に有し、他端に別の管体３を螺合連結する筒状のネジ接続部１２を備えている。
【００１５】
継手本体１の筒状接続部１１の外周面に、Ｏリング等のリング状のパッキン４を介在させた状態で接続すべき管体２が外嵌される。前記パッキン４は筒状接続部１１の外周面の軸方向中途部に形成されたリング状のパッキン装着溝１３に装着される。また、接続部１１外周面には、パッキン装着溝１３から筒状接続部１１の開口端面に通じる漏出溝１４が設けられている。
【００１６】
更に、前記継手本体１の筒状接続部１１に外嵌された管体２の外面には金属等からなるの拡縮変形可能な筒状のスリーブ５を介在させた状態で締付バンド６が取付けられる。
【００１７】
前記締付バンド６は、金属等の径方向に拡縮変形可能な側面視略Ｃ形のクランプ部６１と、クランプ部６１のＣ形の各端部から互いに相対する姿勢で外方向に延出され且つ夫々ネジ挿通孔６２を備えた一対のネジ受片６３と、該ネジ受片６３の外面でネジ挿通孔６２の開口縁部に形成された凹状受部６４と、一方のネジ受片６３の凹状受部６４に嵌合配置されるナット６５と、他方のネジ受片６３の凹状受部６４に嵌合配置されるワッシャ６６と、該ワッシャ６６から各ネジ受片６３のネジ挿通孔６２をルーズに貫通してナット６５に螺合されるネジ６７とから構成されている。
【００１８】
前記締付バンド６の凹状受部６４は、クランプ部６１の軸心Ｘに対して直交する方向に沿った凹状の円弧面６４ａと、この円弧面６４ａの両側端部に形成された規制壁部６４ｂとからなる逆カマボコ形で形成され、前記ワッシャ６６並びにナット６５は、その少なくとも一部が前記逆カマボコ形の凹状受部６４に嵌り込むカマボコ形で形成され、その凸状の円弧面６５ａ、６６ａが凹状受部６４の円弧面６４ａと略同じ曲率で形成されており、これにより凹状受部６４に嵌合配置されたワッシャ６６並びにナット６５が円弧面に沿った方向にのみ摺動しながら回動変位できるように形成されている。尚、前記ネジ挿通孔６２は、長手方向が上記円弧面に沿った方向、即ち、クランプ部６１の軸心Ｘに対して直交する方向に沿うように配置した長穴で形成され、この長穴のネジ挿通孔６２でネジ６７が長手方向に移動できるようにルーズに挿入されている。この長穴に代えて、ネジ挿通孔６２をネジ６７の軸径より大径として遊びのある状態でネジを挿通できるようにしてもよい。
【００１９】
また、管体２と締付バンド６との間に介在されるスリーブ５は、軸心方向に沿ったスリット５１により円周の一部が分断された割りリングの形態で形成されている。更に、その内周面に軸心方向に一定の間隔をあけて複数のリング状内側突起５２が形成され、該内側突起５２の反対側でスリーブ外周面にリング状の外側突起５３が形成されており、この外側突起５２に締付バンド６の内周面が接するように配置される。また、スリーブ５の一端部に設けられた係合爪５４が継手本体１の筒状接続部１１の外周面に形成したリング状の係合溝１５に弾力的に係合して、スリーブ５が筒状接続部１１から抜脱することを阻止している。
【００２０】
上記の如く構成された管継手では、図２に示すように、継手本体１の筒状接続部１１に接続すべき管体２を外嵌し、管体２の外周にスリーブ５を嵌めこんでその外周に締付バンド６を取り付け、ネジ６７をワッシャ６６から各ネジ受片６３のネジ挿通孔６２を貫通してナット６５に螺合させ、所定の締付トルクまでネジ６７を回動して締付バンド６を締め付ける。このネジの最終締結時において、図４に示すように相対するネジ受片６３、６３が正しく並行にならないで互いに少し傾斜した姿勢で締結された場合でも、ネジ受片６３の逆カマボコ形凹状受部６４に嵌合配置されたカマボコ形のワッシャ６６並びにナット６５が円弧面に沿って摺動変位することができるので、ワッシャ６６並びにナット６５の座面、即ち凸面の円弧面６６ａ、６５ａがネジ受片６４の凹面の円弧面６４ａに対して常に面接し、且つネジ頭部の下部座面６７ａとワッシャ上面も平行な姿勢で面接するので、ネジ締付に必要な大きな座面圧が得られて、弛みの生じない確実な締付状態を維持することができる。また、ナット６５の一部がネジ受け部材６３の凹状受部６４に嵌り込む構造となっているので、ネジ６７の先端をナット６５に螺合する際に指先で軽くナット６５を支えるだけで安定よく凹状受部６４内にナット６５を保持することができ、これにより、容易にネジ６７をナット６５に螺合することができる。
【００２１】
また、図３に示すように、接続すべき管体２を継手本体１の筒状接続部１１に外嵌する際に、誤ってパッキン４のある箇所まで管体２が到達しない状態で取り付けた場合、水漏れ検査の際に、管体内部を流れる水が漏出溝１４からパッキン装着溝１３を伝って外部に漏出し、確実に水漏れを認知することのできる。
【００２２】
また、本実施例では、前記スリーブ５の内周面に軸心方向に一定の間隔をあけてリング状の内側突起５２が設けられ、該内側突起５２の反対側でスリーブ外周面にリング状の外側突起５３が形成されているので、締付バンド６による外部からの締付力を内側突起部分に集中的に負荷させることができ、より大きな締付力を発揮することができる。
【００２３】
上記実施例では、左右に開口する継手本体１の一端に管体２を接続する筒状接続部１１を設け、他端に別の管体３を螺合連結するネジ接続部１２を設けた構造としたが、このネジ接続部１２を上記筒状接続部１１と同じ構造とするようにしてもよい。
【００２４】
なた、継手本体１の形態は、図５に示すようなＬ型や、図６に示すようなＴ型としてもよいことは勿論である。
【００２５】
以上本発明の代表的と思われる実施例について説明したが、本発明は必ずしもこれらの実施例構造のみに限定されるものではない。例えば、上記した締付バンド６は、一般的な管継手における管体接続部分の外周面からの締付け用のバンドとして応用することが可能である。その他本発明ではその構成要件を備え、かつ本発明の目的を達成し、本発明の効果を奏する範囲内において適宜改変して実施できるものである。
【産業上の利用可能性】
【００２６】
本発明は、水道管や下水管等の金属製又は合成樹脂製の管の継手として利用することができる。
【図面の簡単な説明】
【００２７】
【図１】本発明にかかる管継手の一実施例を示す分解斜視図。
【図２】上記管継手の接続状態を示す断面図。
【図３】上記管継手の誤った接続状態を示す拡大断面図。
【図４】本発明における締付バンドの断面図。
【図５】本発明にかかる管継手の継手本体のみの別の形態を示す断面図。
【図６】本発明にかかる管継手の継手本体のみの更に別の形態を示す断面図。
【図７】従来の締付バンドを示す説明図。
【符号の説明】
【００２８】
１  継手本体
１１  継手本体の筒状接続部
１３  継手本体のパッキン装着溝
１４  継手本体の漏出溝
２  管体
４  パッキン
５  スリーブ
５１  スリーブのスリット
５２  スリーブの内側突起
５３  スリーブの外側突起
６  締付バンド
６１  クランプ部
６２  ネジ挿通孔
６３  ネジ受片
６４  凹状受部
６４ａ  凹状受部の円弧面
６４ｂ  規制壁部
６５  ナット
６５ａ  ナットの円弧面
６６  ワッシャ
６６ａ  ワッシャの円弧面
６７  ネジ
【図１】
2007247855.tif 000003
【図２】
2007247855.tif 000004
【図３】
2007247855.tif 000005
【図４】
2007247855.tif 000006
【図５】
2007247855.tif 000007
【図６】
2007247855.tif 000008
【図７】
2007247855.tif 000009